(57)【要約】【課題】本発明は、ネットワーク指示装置を提供する。【解決手段】本発明のネットワーク指示装置は、ＮＩＣマイクロチップ及びＮＩＣマイクロチップに電気的に接続されるＰＳ/２メスコネクターを有するホストコンピューター、ＰＳ/２オスコネクターを有するキーボード、キーボードに設置され且つＰＳ/２オスコネクターに電気的に接続される接続状態指示ランプ及び接続速度指示ランプを備え、ＮＩＣマイクロチップが外部ＬＡＮに接続する場合、ＮＩＣマイクロチップは、ＰＳ/２メスコネクター及びＰＳ/２オスコネクターによって接続状態指示ランプに第一制御信号を出力して、接続状態指示ランプを点灯させ、ＮＩＣマイクロチップが外部のＬＡＮとの通信を確立する場合、ＮＩＣマイクロチップは、ＰＳ/２メスコネクター及びＰＳ/２オスコネクターによって接続速度指示ランプに第二制御信号を出力して、接続速度指示ランプは点滅する。【選択図】図３
2012231464.tif 000002
【特許請求の範囲】
【請求項１】
ネットワークインターフェースカードマイクロチップ及びＰＳ/２メスコネクターを有するホストコンピューター、前記ＰＳ/２メスコネクターに対応するＰＳ/２オスコネクターを有するキーボード、接続状態指示ランプ及び接続速度指示ランプを備えてなるネットワーク指示装置であって、
前記接続状態指示ランプ及び前記接続速度指示ランプは、前記キーボードに設置され、且つ前記キーボードの表面に露出され、
前記接続状態指示ランプ及び前記接続速度指示ランプは、別々に前記ＰＳ/２オスコネクターに電気的に接続され、
前記ＰＳ/２メスコネクターは、前記ネットワークインターフェースカードマイクロチップに電気的に接続され、
前記ネットワークインターフェースカードマイクロチップが外部ローカルエリアネットワークに接続する場合、前記ネットワークインターフェースカードマイクロチップは、前記ＰＳ/２メスコネクター及び前記ＰＳ/２オスコネクターを介して前記接続状態指示ランプに第一制御信号を出力して、前記接続状態指示ランプを点灯させ、
前記ネットワークインターフェースカードマイクロチップが外部のローカルエリアネットワークとのコミュニケーションを確立する場合、前記ネットワークインターフェースカードマイクロチップは、前記ＰＳ/２メスコネクター及び前記ＰＳ/２オスコネクターによって前記接続速度指示ランプに第二制御信号を出力して、前記接続速度指示ランプは点滅することを特徴とするネットワーク指示装置。
【請求項２】
前記ネットワーク指示装置は、前記接続状態指示ランプ及び前記接続速度指示ランプに作動電圧を提供する電圧変換回路をさらに備えることを特徴とする請求項１に記載のネットワーク指示装置。
【請求項３】
前記ネットワークインターフェースカードマイクロチップは、接続状態信号ピンを備え、
前記ＰＳ/２メスコネクターは、前記接続状態信号ピンに電気的に接続される第一ピンを備え、
前記ＰＳ/２オスコネクターは、前記第一ピンに電気的に接続される第三ピンを備え、
前記接続状態指示ランプは発光ダイオードであり、前記接続状態指示ランプの正相端は、前記電圧変換回路に電気的に接続され、前記接続状態指示ランプの逆相端は、前記ＰＳ/２オスコネクターの第三ピンに電気的に接続され、
前記第一制御信号は、前記ネットワークインターフェースカードマイクロチップが外部ローカルエリアネットワークに接続する場合、前記接続状態信号ピンは低電圧信号は、前記接続状態指示ランプを導通して発光させることを特徴とする請求項２に記載のネットワーク指示装置。
【請求項４】
前記ネットワークインターフェースカードマイクロチップは、第一接続速度信号ピンをさらに備え、
前記ＰＳ/２メスコネクターは、前記第一接続速度信号ピンに電気的に接続される第二ピンを備え、
前記ＰＳ/２メスコネクターは、前記第二ピンに電気的に接続される第四ピンを備え、
前記接続速度指示ランプは発光ダイオードであり、前記接続速度指示ランプの正相端は、前記電圧変換回路に電気的に接続され、前記接続速度指示ランプの逆相端は、前記ＰＳ/２オスコネクターの第四ピンに電気的に接続され、
前記第二制御信号は、ネットワーク接続による通信がある場合、もし接続速度が１０Ｍ/１００Ｍであると、前記ネットワークインターフェースカードマイクロチップの第一接続速度信号ピンはパルス信号を連続して出力し、前記第二ピン及び前記第四ピンは交互に高電圧及び低電圧の信号を出力することで前記接続速度指示ランプは点滅することを特徴とする請求項２に記載のネットワーク指示装置。
【請求項５】
前記ネットワーク指示装置は、第一隔離ダイオードをさらに備え、前記第一隔離ダイオードの正相端は、前記ＰＳ/２メスコネクターの第二ピンに電気的に接続され、前記第一隔離ダイオードの逆相端は、前記ネットワークインターフェースカードマイクロチップの第一接続速度信号ピンに電気的に接続され、前記第一隔離ダイオードは、前記第一接続速度信号ピンのノイズが前記接続速度指示ランプに対する影響を防止することを特徴とする請求項４に記載のネットワーク指示装置。
【請求項６】
前記ネットワークインターフェースカードマイクロチップは、第二接続速度信号ピンをさらに備え、
前記第二接続速度信号ピンは、前記ＰＳ/２メスコネクターの第二ピンに電気的に接続され、
前記第二制御信号は、ネットワーク接続による通信がある場合、もし接続速度が１０００Ｍであると、前記ネットワークインターフェースカードマイクロチップの第二接続速度信号ピンはパルス信号を連続して出力し、前記第二ピン及び前記第四ピンは交互に高電圧及び低電圧の信号を出力することで前記接続速度指示ランプは点滅することを特徴とする請求項４に記載のネットワーク指示装置。
【請求項７】
前記ネットワーク指示装置は、第二隔離ダイオードをさらに備え、前記第二隔離ダイオードの正相端は、前記ＰＳ/２メスコネクターの第二ピンに電気的に接続され、前記第二隔離ダイオードの逆相端は、前記ネットワークインターフェースカードマイクロチップの第二接続速度信号ピンに電気的に接続され、前記第二隔離ダイオードは、前記第二接続速度信号ピンのノイズが前記接続速度指示ランプに対する影響を防止することを特徴とする請求項６に記載のネットワーク指示装置。
【請求項８】
前記ＰＳ/２メスコネクターは、前記ホストコンピューターの電源に電気的に接続されるパワーピンを備え、
前記ＰＳ/２オスコネクターもパワーピンを備え、前記ＰＳ/２オスコネクターもパワーピンは、前記ＰＳ/２メスコネクターのパワーピンに電気的に接続され、
前記電圧変換回路の入力端は、前記ＰＳ/２オスコネクターのパワーピンに電気的に接続され、前記電圧変換回路の出力端は、前記接続状態指示ランプ及び前記接続速度指示ランプに電気的に接続されることを特徴とする請求項２〜７のいずれの一項に記載のネットワーク指示装置。
【請求項９】
前記電圧変換回路は、直列に接続される第一分圧レジスター及び第二分圧レジスターを備え、前記第一分圧レジスターの他端は、前記ＰＳ/２オスコネクターのパワーピンに電気的に接続され、前記第二分圧レジスターの他端は接地することを特徴とする請求項８に記載のネットワーク指示装置。
【請求項１０】
前記ネットワーク指示装置は、第一限流レジスター及び第二限流レジスターをさらに備え、
前記第一限流レジスターは、前記接続状態指示ランプと前記電圧変換回路との間に直列に接続され、
前記第二限流レジスターは、前記接続速度指示ランプと前記電圧変換回路との間に直列に接続されることを特徴とする請求項８に記載のネットワーク指示装置。
【発明の詳細な説明】
【技術分野】
【０００１】
本発明は、ネットワーク指示装置に関するものである。
【背景技術】
【０００２】
コンピューターのネットワーク指示ランプである接続状態指示ランプ、１０Ｍ/１００Ｍ接続速度指示ランプ、１０００Ｍ接続速度指示ランプは、ホストコンピューターのＲＪ４５インターフェースに設置される。
【０００３】
図１は、従来のネットワーク指示ランプ回路の回路図である。前記ネットワーク指示ランプ回路は、ネットワークインターフェースカード（ＮＩＣ）マイクロチップ２１、ＲＪ４５インターフェース２３、第一指示ランプＬ１、第二指示ランプＬ２及び第三指示ランプＬ３を備える。前記ネットワークインターフェースカードマイクロチップ２１のＰＩＮ２６、ＰＩＮ２７及びＰＩＮ２５は、別々に前記ＲＪ４５インターフェース２３のＰＩＮ１３、ＰＩＮ１５及びＰＩＮ１１に電気的に接続される。前記ＲＪ４５インターフェース２３のＰＩＮ１２及びＰＩＮ１４は、全て＋３Ｖ電源に電気的に接続される。前記第一指示ランプＬ１の正相端は、前記ＲＪ４５インターフェース２３のＰＩＮ１２に電気的に接続され、前記第一指示ランプＬ１の逆相端は、前記ＲＪ４５インターフェース２３のＰＩＮ１１に電気的に接続される。前記第二指示ランプＬ２の正相端は、前記ＲＪ４５インターフェース２３のＰＩＮ１４に電気的に接続され、前記第二指示ランプＬ２の逆相端は、前記ＲＪ４５インターフェース２３のＰＩＮ１３に電気的に接続される。前記第三指示ランプＬ３の正相端は、前記ＲＪ４５インターフェース２３のＰＩＮ１４に電気的に接続され、前記第三指示ランプＬ３の逆相端は、前記ＲＪ４５インターフェース２３のＰＩＮ１５に電気的に接続される。ネットワークに接続されている場合、前記ネットワークインターフェースカードマイクロチップ２１のＰＩＮ２５から送信される信号が低電圧であるので、前記第一指示ランプＬ１は導通されて点灯する。ネットワーク接続による通信がある場合、もし接続速度が１０Ｍ/１００Ｍであると、前記ネットワークインターフェースカードマイクロチップ２１のＰＩＮ２６は、パルス信号を連続して出力し、前記ＰＩＮ２６から送信されるパルス信号が低電圧場合、前記第二指示ランプＬ２は導通されて点灯され、前記ＰＩＮ２６から送信されるパルス信号が高電圧である場合、前記第二指示ランプＬ２は点灯せず、従って前記パルス信号では高電圧、低電圧が交互に出力されるので前記第二指示ランプＬ２が点滅し、もし接続速度が１０００Ｍであると、前記ネットワークインターフェースカードマイクロチップ２１のＰＩＮ２７は、パルス信号を連続して出力し、前記第三指示ランプＬ３が点滅する。
【０００４】
ネットワーク指示ランプである前記第一指示ランプＬ１、前記第二指示ランプＬ２及び前記第三指示ランプＬ３は、全てホストコンピューターの背面のＲＪ４５インターフェースに設置される。デスクトップコンピューターにおいて、ホストコンピューターと表示装置は分離し、ホストコンピューターは一般的に机の下方に設置されているので、ネットワーク指示ランプが点滅しているかどうかを確かめるために、ユーザーは腰を曲げることを必要として、使用不便である。
【発明の概要】
【発明が解決しようとする課題】
【０００５】
本発明の目的は、前記課題を解決し、ネットワークに正常に接続されているかどうかを便利に確かめるネットワーク指示装置を提供することである。
【課題を解決するための手段】
【０００６】
本発明に係るネットワーク指示装置は、ネットワークインターフェースカードマイクロチップ及びＰＳ/２メスコネクターを有するホストコンピューター、前記ＰＳ/２メスコネクターに対応するＰＳ/２オスコネクターを有するキーボード、接続状態指示ランプ及び接続速度指示ランプを備え、前記接続状態指示ランプ及び前記接続速度指示ランプは、前記キーボードに設置され、且つ前記キーボードの表面に露出され、前記接続状態指示ランプ及び前記接続速度指示ランプは、別々に前記ＰＳ/２オスコネクターに電気的に接続され、前記ＰＳ/２メスコネクターは、前記ネットワークインターフェースカードマイクロチップに電気的に接続され、前記ネットワークインターフェースカードマイクロチップが外部ローカルエリアネットワークに接続する場合、前記ネットワークインターフェースカードマイクロチップは、前記ＰＳ/２メスコネクター及び前記ＰＳ/２オスコネクターを介して前記接続状態指示ランプに第一制御信号を出力して、前記接続状態指示ランプを点灯させ、前記ネットワークインターフェースカードマイクロチップが外部のローカルエリアネットワークとのコミュニケーションを確立する場合、前記ネットワークインターフェースカードマイクロチップは、前記ＰＳ/２メスコネクター及び前記ＰＳ/２オスコネクターを介して前記接続速度指示ランプに第二制御信号を出力して、前記接続速度指示ランプはきらめく。
【発明の効果】
【０００７】
従来の技術に比べて、本発明のネットワーク指示装置は、キーボードに接続状態指示ランプ及び接続速度指示ランプを設置して、ホストコンピューターのＰＳ/２メスコネクター及び前記キーボードのＰＳ/２オスコネクターを介して、前記接続状態指示ランプ及び前記接続速度指示ランプに対する制御を実現し、前記キーボードは使用過程で絶えず使用者の視野に入るので、使用者はネットワークに正常に接続されているかどうかを便利に確かめることができる。
【図面の簡単な説明】
【０００８】
【図１】従来のネットワーク指示ランプ回路の回路図である。
【図２】本発明の実施形態に係るネットワーク指示装置のシステムブロック図である。
【図３】本発明の実施形態に係るネットワーク指示装置の回路図である。
【発明を実施するための形態】
【０００９】
以下、図面を参照して、本発明の実施形態について説明する。
【００１０】
図２を参照すると、本発明の実施形態に係るネットワーク指示装置１０は、ホストコンピューター１１と、キーボード１３と、接続状態指示ランプ１５１と、接続速度指示ランプ１５３と、を備える。前記ホストコンピューター１１は、コンピューター又はサーバーなどの電子装置のホストコンピューターである。前記ホストコンピューター１１は、ネットワークインターフェースカード（ＮＩＣ）マイクロチップ１１１及び前記ネットワークインターフェースカードマイクロチップ１１１に電気的に接続されるＰＳ/２メスコネクター１１３を備える。前記キーボード１３は、ＰＳ/２オスコネクター１３１及び電圧変換回路１３３を備える。前記ＰＳ/２オスコネクター１３１は前記ＰＳ/２メスコネクター１１３に挿入接続して、前記キーボード１３と前記ホストコンピューター１１との間の通信を確立する。前記接続状態指示ランプ１５１及び前記接続速度指示ランプ１５３は、前記キーボード１３に設置され、且つ前記キーボード１３の表面に露出される。前記接続状態指示ランプ１５１及び前記接続速度指示ランプ１５３は、全て発光ダイオードであり、別々に前記ＰＳ/２オスコネクター１３１に電気的に接続される。前記ネットワークインターフェースカードマイクロチップ１１１が外部ローカルエリアネットワーク（ＬＡＮ）に接続する場合、前記ネットワークインターフェースカードマイクロチップ１１１は、前記ＰＳ/２メスコネクター１１３及び前記ＰＳ/２オスコネクター１３１を介して前記接続状態指示ランプ１５１に第一制御信号を出力して、前記接続状態指示ランプ１５１を点灯させる。前記ネットワークインターフェースカードマイクロチップ１１１が外部のローカルエリアネットワーク（ＬＡＮ）とのコミュニケーションを開始、確立する場合、前記ネットワークインターフェースカードマイクロチップ１１１は、前記ＰＳ/２メスコネクター１１３及び前記ＰＳ/２オスコネクター１３１を介して前記接続速度指示ランプ１５３に第二制御信号を出力して、前記接続速度指示ランプ１５３はきらめく。
【００１１】
図３を参照すると、前記ネットワークインターフェースカードマイクロチップ１１１は、前記ホストコンピューター１１と外部のローカルエリアネットワークとの間のコミュニケーション及びデータ伝送を実現するために用いられる。本実施形態において、前記ネットワークインターフェースカードマイクロチップ１１１は、１０Ｍ/１００Ｍ/１０００Ｍの自動適応カードである。前記ネットワークインターフェースカードマイクロチップ１１１は、接続状態信号ピンＬＥＤ２、第一接続速度信号ピンＬＥＤ０及び第二接続速度信号ピンＬＥＤ１を備える。ネットワークに接続されていない場合、前記ネットワークインターフェースカードマイクロチップ１１１の接続状態信号ピンＬＥＤ２、第一接続速度信号ピンＬＥＤ０及び第二接続速度信号ピンＬＥＤ１は、常に高電圧の信号を出力する。ネットワークに接続されている場合、前記ネットワークインターフェースカードマイクロチップ１１１の接続状態信号ピンＬＥＤ２は、低電圧の信号を出力し、即ち第一制御信号を出力する。ネットワーク接続による通信がある場合、もし接続速度が１０Ｍ/１００Ｍであると、前記ネットワークインターフェースカードマイクロチップ１１１の第一接続速度信号ピンＬＥＤ０は、パルス信号を連続して出力し、即ち第二制御信号を出力する。ネットワーク接続による通信がある場合、もし接続速度が１０００Ｍであると、前記ネットワークインターフェースカードマイクロチップ１１１の第二接続速度信号ピンＬＥＤ１は、パルス信号を連続して出力し、即ち第二制御信号を出力する。
【００１２】
前記ＰＳ/２メスコネクター１１３は、標準の六角ＰＳ/２メスコネクターであり、６つのピンを備え、別々にデーターピンＤＡＴＡ、第一ピンＸ１、接地ピンＧＮＤ、パワーピンＶＣＣ、クロックピンＣＬＫ及び第二ピンＸ２である。前記ＰＳ/２オスコネクター１３１は、標準の六角ＰＳ/２オスコネクターであり、６つのピンを備え、別々にデーターピンＤＡＴＡ、第三ピンＸ３、接地ピンＧＮＤ、パワーピンＶＣＣ、クロックピンＣＬＫ及び第四ピンＸ４である。前記ＰＳ/２メスコネクター１１３の６つのピンは、前記ＰＳ/２オスコネクター１３１の６つのピンにそれぞれに対応する。前記ＰＳ/２メスコネクター１１３のパワーピンＶＣＣは、前記ホストコンピューター１１の＋５Ｖ電源に電気的に接続される。前記キーボード１３の前記ＰＳ/２オスコネクター１３１のパワーピンＶＣＣは前記ＰＳ/２メスコネクター１１３のパワーピンＶＣＣに電気的に接続されるので、前記キーボード１３は、前記ＰＳ/２オスコネクター１３１のパワーピンＶＣＣによって＋５Ｖの電源を受け取る。
【００１３】
従来の技術において、ＰＳ/２メスコネクターのデーターピン、接地ピン、パワーピン及びクロックピン以外の他の２つのピンは、使用されなくぶら下がり、ＰＳ/２オスコネクターのデーターピン、接地ピン、パワーピン及びクロックピン以外の他の２つのピンも、使用されなくぶら下がる。
【００１４】
本発明において、前記ＰＳ/２メスコネクター１１３の第一ピンＸ１は、前記接続状態信号ピンＬＥＤ２に電気的に接続され、前記ＰＳ/２メスコネクター１１３の第二ピンＸ２は、前記第一接続速度信号ピンＬＥＤ０及び前記第二接続速度信号ピンＬＥＤ１に電気的に接続される。前記ＰＳ/２オスコネクター１３１の第三ピンＸ３は、前記接続状態指示ランプ１５１の逆相端に電気的に接続され、前記接続状態指示ランプ１５１の正相端は、前記電圧変換回路１３３の出力端に電気的に接続される。前記ＰＳ/２オスコネクター１３１の第四ピンＸ４は、前記接続速度指示ランプ１５３の逆相端に電気的に接続され、前記接続速度指示ランプ１５３の正相端は、前記電圧変換回路１３３の出力端に電気的に接続される。
【００１５】
前記電圧変換回路１３３は、前記接続状態指示ランプ１５１及び前記接続速度指示ランプ１５３に作動電圧を提供するために用いられる。具体的には、前記電圧変換回路１３３は、前記ＰＳ/２オスコネクター１３１のパワーピンＶＣＣの＋５Ｖ電圧を前記接続状態指示ランプ１５１及び前記接続速度指示ランプ１５３が必要とする３．３Ｖ電圧に変換する。本実施形態において、前記電圧変換回路１３３は、分圧回路である。前記電圧変換回路１３３は、直列に接続される第一分圧レジスターＲ１及び第二分圧レジスターＲ２を備え、前記第一分圧レジスターＲ１の他端は、前記ＰＳ/２オスコネクター１３１のパワーピンＶＣＣに電気的に接続され、前記第二分圧レジスターＲ２の他端は、接地する。前記第一分圧レジスターＲ１及び前記第二分圧レジスターＲ２の電気抵抗値を分配することにより、前記接続状態指示ランプ１５１及び前記接続速度指示ランプ１５３が必要とする３．３Ｖ電圧を出力することができる。前記電圧変換回路１３３は、５Ｖ入力電圧を３．３Ｖ出力電圧に変換する電圧変換装置であることもできる。
【００１６】
前記ネットワーク指示装置１０は、第一限流レジスターＲ３及び第二限流レジスターＲ４をさらに備える。前記第一限流レジスターＲ３の一端は、前記第一分圧レジスターＲ１と前記第二分圧レジスターＲ２との間に電気的に接続され、前記第一限流レジスターＲ３の他端は、前記接続状態指示ランプ１５１の正相端に電気的に接続されて、前記接続状態指示ランプ１５１に対して過電流保護する。前記第二限流レジスターＲ４の一端は、前記第一分圧レジスターＲ１と前記第二分圧レジスターＲ２との間に電気的に接続され、前記第二限流レジスターＲ４の他端は、前記接続速度指示ランプ１５３の正相端に電気的に接続されて、前記接続速度指示ランプ１５３に対して過電流保護する。
【００１７】
前記ネットワーク指示装置１０は、第一隔離ダイオードＤ１及び第二隔離ダイオードＤ２をさらに備える。前記第一隔離ダイオードＤ１の正相端は、前記ＰＳ/２メスコネクター１１３の第二ピンＸ２に電気的に接続され、前記第一隔離ダイオードＤ１の逆相端は、前記ネットワークインターフェースカードマイクロチップ１１１の第一接続速度信号ピンＬＥＤ０に電気的に接続される。前記第一隔離ダイオードＤ１は、前記第一接続速度信号ピンＬＥＤ０のノイズが前記接続速度指示ランプ１５３に対する影響を防止するために用いられる。前記第二隔離ダイオードＤ２の正相端は、前記ＰＳ/２メスコネクター１１３の第二ピンＸ２に電気的に接続され、前記第二隔離ダイオードＤ２の逆相端は、前記ネットワークインターフェースカードマイクロチップ１１１の第二接続速度信号ピンＬＥＤ１に電気的に接続される。前記第二隔離ダイオードＤ２は、前記第二接続速度信号ピンＬＥＤ１のノイズが前記接続速度指示ランプ１５３に対する影響を防止するために用いられる。
【００１８】
前記ネットワーク指示装置１０を使用する場合、前記キーボード１３の前記ＰＳ/２オスコネクター１３１を前記ホストコンピュータ１１の前記ＰＳ/２メスコネクター１１３に挿入接続する。ネットワークに接続されていない場合、前記ネットワークインターフェースカードマイクロチップ１１１の接続状態信号ピンＬＥＤ２、第一接続速度信号ピンＬＥＤ０及び第二接続速度信号ピンＬＥＤ１は、常に高電圧の信号を出力して、前記ＰＳ/２メスコネクター１１３の第一ピンＸ１、第二ピンＸ２及び前記ＰＳ/２オスコネクター１３１の第三ピンＸ３、第四ピンＸ４は、全て高電圧を呈し、前記接続状態指示ランプ１５１及び前記接続速度指示ランプ１５３は、全て発光しない。ネットワークに接続されている場合、前記ネットワークインターフェースカードマイクロチップ１１１の接続状態信号ピンＬＥＤ２は、低電圧の信号を出力して、前記ＰＳ/２メスコネクター１１３の第一ピンＸ１及び前記ＰＳ/２オスコネクター１３１の第三ピンＸ３は、全て低電圧を呈し、前記接続状態指示ランプ１５１及び前記接続速度指示ランプ１５３は導通されて発光する。ネットワーク接続による通信がある場合、もし接続速度が１０Ｍ/１００Ｍであると、前記ネットワークインターフェースカードマイクロチップ１１１の第一接続速度信号ピンＬＥＤ０は、パルス信号を連続して出力し、前記ＰＳ/２メスコネクター１１３の第二ピンＸ２及び前記ＰＳ/２オスコネクター１３１の第四ピンＸ４は、パルス信号を連続して出力して、前記接続速度指示ランプ１５３が点滅する。ネットワーク接続による通信がある場合、もし接続速度が１０００Ｍであると、前記ネットワークインターフェースカードマイクロチップ１１１の第二接続速度信号ピンＬＥＤ１は、パルス信号を連続して出力し、前記ＰＳ/２メスコネクター１１３の第二ピンＸ２及び前記ＰＳ/２オスコネクター１３１の第四ピンＸ４は、パルス信号を連続して出力して、前記接続速度指示ランプ１５３が点滅する。
【００１９】
前記ネットワークインターフェースカードマイクロチップ１１１が１０Ｍ/１００Ｍの自動適応カードである場合、前記第二接続速度信号ピンＬＥＤ１はなく、前記ＰＳ/２メスコネクター１１３の第二ピンＸ２は、ただ前記第一接続速度信号ピンＬＥＤ０に電気的に接続される。この時、前記ネットワーク指示装置１０の作動原理は、前記ネットワークインターフェースカードマイクロチップ１１１が１０Ｍ/１００Ｍ/１０００Ｍの自動適応カードである場合と同じであり、即ちネットワークに接続されている場合、前記接続状態指示ランプ１５１は発光し、ネットワーク接続による通信がある場合、もし接続速度が１０Ｍ/１００Ｍであると、前記接続速度指示ランプ１５３は点滅する。
【００２０】
前記ネットワーク指示装置１０は、前記接続状態指示ランプ１５１及び前記接続速度指示ランプ１５３を前記キーボード１３に設置することにより、前記キーボード１３のＰＳ/２オスコネクター１３１の従来の技術では使用されない２つのピンによって、前記接続状態指示ランプ１５１及び前記接続速度指示ランプ１５３に対する制御を実現する。前記キーボード１３は使用過程で常に使用者の視覚に入るので、使用者はネットワークに正常に接続されているかどうかを便利に確かめることができる。
【００２１】
以上、本発明を実施形態に基づいて具体的に説明したが、本発明は、上述の実施形態に限定されるものではなく、その要旨を逸脱しない範囲において、種種の変更が可能であることは勿論であって、本発明の技術的範囲は、添付の特許請求の範囲によって決まる。
【符号の説明】
【００２２】
１０  ネットワーク指示装置
１１  ホストコンピューター
１３  キーボード
２３  ＲＪ４５インターフェース
２１，１１１  ネットワークインターフェースカードマイクロチップ
１１３  ＰＳ/２メスコネクター
１３１  ＰＳ/２オスコネクター
１３３  電圧変換回路
１５１  接続状態指示ランプ
１５３  接続速度指示ランプ
ＣＬＫ  クロックピン
Ｄ１  第一隔離ダイオード
Ｄ２  第二隔離ダイオード
ＤＡＴＡ  データーピン
ＧＮＤ  接地ピン
Ｌ１  第一指示ランプ
Ｌ２  第二指示ランプ
Ｌ３  第三指示ランプ
ＬＥＤ０  第一接続速度信号ピン
ＬＥＤ１  第二接続速度信号ピン
ＬＥＤ２  接続状態信号ピン
Ｒ１  第一分圧レジスター
Ｒ２  第二分圧レジスター
Ｒ３  第一限流レジスター
Ｒ４  第二限流レジスター
ＶＣＣ  電源ピン
Ｘ１  第一ピン
Ｘ２  第二ピン
Ｘ３  第三ピン
Ｘ４  第四ピン
【図１】
2012231464.tif 000003
【図２】
2012231464.tif 000004
【図３】
2012231464.tif 000005